(57)【要約】【課題】老化などにより、利用者ごとにばらつき（個人差）が生じている利用者の視覚能力に応じて、表示手段に表示させる画像を色補正することができる画像生成装置および当該画像生成装置を備える電子ミラーシステムを提供する。【解決手段】本発明の画像処理装置は、基準色に対する利用者の色の見え方に関する色視認情報を用いて決定された色補正情報を用いて、前記利用者に表示させる画像を補正する補正手段を備えることを特徴とする。これにより、表示手段に表示される画像を通じて、実際の色の変化を利用者の色感覚に合わせることが可能となる。【選択図】図１
2009177735.tif 000002
【特許請求の範囲】
【請求項１】
基準色に対する利用者の色の見え方に関する色視認情報を用いて決定された色補正情報を用いて、前記利用者に表示させる画像を補正する補正手段を備えることを特徴とする画像処理装置。
【請求項２】
前記色視認情報に基づいて、前記色補正情報を決定する色補正情報生成手段を備えることを特徴とする請求項１に記載の画像処理装置。
【請求項３】
前記色補正情報を利用者の情報と対応づけて格納するための格納手段を備えることを特徴とする請求項１または２に記載の画像処理装置。
【請求項４】
前記色補正情報は、前記補正手段によって補正される前の表示用の画像の色と、この画像に対して利用者が認識する色との差を補正するための、色補正関数であることを特徴とする請求項１から３のいずれか1つに記載の画像処理装置。
【請求項５】
前記色視認情報を入力するための情報入力手段をさらに備えることを特徴とする２から４のいずれか1つに記載の画像処理装置。
【請求項６】
前記補正手段は表示用の画像の一部の領域に対して色補正情報を用いた補正を行うことを特徴とする請求項１から５のいずれか1つに記載の画像処理装置。
【請求項７】
請求項１から６のいずれか１つに記載の画像処理装置と、
前記画像処理装置によって補正された画像を表示する表示手段とを備えることを特徴とする画像表示システム。
【請求項８】
前記表示手段に表示させる画像を取得するための撮像手段をさらに備えることを特徴とする請求項７に記載の画像表示システム。
【請求項９】
前記撮像手段は利用者の画像を取得するために用いられ、
前記撮像手段によって取得された画像の左右反転処理を行う反転処理手段をさらに備えることを特徴とする請求項８に記載の画像表示システム。
【請求項１０】
基準色に対する利用者の色の見え方に関する色視認情報に基づいて決定された色補正情報を用いて、前記利用者に表示させる画像を補正することを特徴とする画像処理方法。
【請求項１１】
前記色補正情報は、この色補正情報を用いて補正される前の表示用の画像の色と、この画像に対して利用者が認識する色との差を補正するための、色補正関数であることを特徴とする請求項１０に記載の画像処理方法。
【発明の詳細な説明】
【技術分野】
【０００１】
本発明は画像生成装置および画像表示システムに関する。
【背景技術】
【０００２】
従来より、撮像した画像について左右反転されて表示されるように画像処理を行い、当該画像をディスプレイなどの表示手段に表示して物理的な鏡の様に使用することができる電子ミラー（電子鏡）が知られている（例えば特許文献１）。
【０００３】
特許文献１に記載の電子鏡は、被撮像体の正面に配置した表示手段（ディスプレイ）と、表示手段の配置位置以外の位置に設置され、被撮像体をそれぞれ異なる視点から撮像する少なくとも２つの撮像手段（カメラ）と、撮像手段によりそれぞれ撮像された画像から撮像における視点と異なる視点の被撮像体の画像を表示手段で表示させる制御手段（制御部）と、を具備する。当該構成とすることにより、特許文献１の電子鏡は、実際の鏡に映し出された像と同じように画像表示し、且つ、利用者自身の好みに従った画像、あるいは利用者自身が自分の見やすいと感じる画像に調整するための撮像された画像の加工等を行うことが提案されている。
【０００４】
一方、視覚能力は、老化等により低下するなどして、認識できる色やコントラストにばらつき（個人差）が生じている。すなわち、利用者ごとに色の見え方が異なる。そのため、高齢者等が化粧や身だしなみを整えようとするとき、物理的な鏡や従来の電子鏡では反射面や表示手段等に表示されている画像の色と利用者が実際に見ている色との間には誤差が存在し、該高齢者は自身の姿を実際とは異なる色合いで認識する。従って、従来の物理的な鏡や電子鏡を用いた場合には、自身では適切な色合いで化粧や身だしなみを整えたつもりでも色が濃くなりすぎたり、コントラストが強くなりすぎたりして、第三者に当たる若年等の見た目とは大きく異なっている色合いとなる傾向がある。
【０００５】
このような色の見え方の個人差を電子ミラーにおいてできるだけ小さくするためには表示手段に表示される画像の色補正を行うことが考えられる。しかしながら、利用者自身は自身の認識している色合いが他人とは異なっていることを理解していないのが通常であり、且つ特許文献１等の電子ミラーの補正は利用者自身が出力画像の色合いを利用者の好みに合わせて調整するものであるから、色の見え方の個人差を小さくするように補正することは困難であった。
【０００６】
【特許文献１】特開２００４−２９７７３４号公報（段落００１１、図１および図３等）
【発明の開示】
【発明が解決しようとする課題】
【０００７】
本発明はこのような問題点に鑑みてなされたものであり、一律ではなく利用者ごとに異なっている色の見え方に関する情報に応じて、表示手段に表示させる画像を補正することができる、画像生成装置および画像表示システムを提供することを目的とする。
【０００８】
さらに、本発明は、表示手段に表示される画像を、利用者が視覚的に見やすいようにするための画像処理をすることができる画像生成装置および画像表示システムを提供することを併せて目的とする。
【課題を解決するための手段】
【０００９】
本発明は画像処理装置であって、基準色に対する利用者の色の見え方に関する色視認情報を用いて決定された色補正情報を用いて、利用者に表示させる画像を補正する補正手段を備えることを特徴とする。
【００１０】
ここで、本発明において色補正情報を決定するために用いられる、基準色に対する利用者の色の見え方に関する色視認情報は、利用者が視覚によって基準色とは異なる色であると識別可能である、基準色より明るい第１の色に関する情報と基準色より暗い第２の色に関する情報とからなる。本発明の発明者はまず、人間の視覚特性として、加齢等が進行すると暗いものはより暗く、明るいものはより明るく見えるようになる傾向が存在し、そのためにある色とそれより明るい色、または暗い色とを区別することが困難となることを見出した。さらに、本発明者は鋭意研究の結果、画像の色補正処理を行うにあたっては利用者が基準色に対して明るく見える色と、基準色に対して暗く見える色とを考慮して色補正処理を行うことにより、一律でない利用者ごとの色の見え方により対応した色補正処理が可能となることを明らかにし、本発明を成すに至った。
【００１１】
また、本発明は画像表示システムであって、請求項１から６のいずれか１つに記載の画像処理装置と、前記画像処理装置によって補正された画像を表示する表示手段とを備えることを特徴とする。
【００１２】
さらに本発明は画像処理方法であって、基準色に対する利用者の色の見え方に関する色視認情報に基づいて決定された色補正情報を用いて、利用者に表示させる画像を補正することを特徴とする。
【００１３】
さらにまた、本発明の更なる態様として、本発明は請求項１０または１１に記載の画像処理方法をコンピュータに実行させるためのプログラム、もしくは当該プログラムを記録したコンピュータ読取可能な記録媒体がある。
【発明の効果】
【００１４】
本発明によれば、表示手段に表示される画像を、利用者ごとの色の見え方に応じて色補正処理を行い、表示手段に表示させることが可能となる。このため、表示手段に表示されている画像の色と利用者が実際に見ている色との差を補正し、利用者ごとの色の見え方の差（ズレ）による不具合を防止することができる。
【００１５】
すなわち、利用者の色の見え方に基づく色と表示手段に表示される画像の色とが異なると、例えば画像表示システムの１つである電子ミラーの表示手段に表示された表示画像の色に合わせて化粧をした場合、化粧による色の変化が利用者によって濃くまたは薄く感じられ、その結果、化粧が薄すぎたりあるいは濃すぎたりして、通常の色感覚とは異なる色の化粧となってしまう。本発明では表示手段に表示される画像の色と利用者が実際に見ている色との差を補正することにより、表示手段に表示される画像を通じて、実際の色の変化を利用者の色感覚に合わせることが可能となる。
【発明を実施するための最良の形態】
【００１６】
以下、本発明の画像処理装置を有する画像表示システムの好ましい実施形態の１例である電子ミラーシステムについて、図面を用いて説明する。
【００１７】
（第１実施形態）
第1実施形態の電子ミラーシステムはカメラ等の撮像装置により得られた利用者の画像を色補正して表示手段に表示させる。色補正処理は、老化等によりばらつき（個人差）が存在する、利用者ごとの色の見え方に応じて画像を色補正する処理である。該色補正処理は、利用者自身が出力画像の色を利用者の好みに合わせて調整するものではなく、利用者ごとに異なる色の見え方の差をなくすように色合いを調整して画像を表示する。
【００１８】
すなわち、本実施形態の電子ミラーシステムは、利用者の色に対する視覚能力（以下、色視認能力という）を通常の色視認能力に基づく基準色を用いて客観的に評価し、利用者の色に関する見え方の情報を抽出する。そして、基準色と利用者に見える色の差を補正するような色補正処理を表示される画像に適用することで、補正前の色を利用者にとって基準色に近いまたは一致する色として視認できるようにする。つまり、補正前の色は、通常の色視認能力では例えば赤色に見える場合でも、色視認能力が低下した高齢者は、暗味かかった赤色として視認する。そこで、通常の色認識能力で見える赤色で当該利用者が色視認できるように、補正前の赤色を明るく見えるように色補正を行う。
【００１９】
図１は本実施形態における電子ミラーシステムの概略構成図である。また、図２は本実施形態における電子ミラーシステムのブロック図である。
【００２０】
ここで、図１に示すように、本実施形態の電子ミラーシステムは表示手段１０と、入力手段１０aと、撮像手段（カメラ）２０と、カメラ２０によって撮像された画像について左右反転して表示手段１０に表示するために画像処理を遂行する画像処理手段３０を備える。また、Ｈは利用者であって、本実施形態の電子ミラーの被写体である。
【００２１】
また、図２に示すように、画像処理手段３０は、入力手段１０aを介して入力される利用者Ｈの色の見え方に関する情報に基づいて色補正関数（色補正情報）を生成する色補正情報演算部（色補正情報生成手段）３２と、色補正関数に基づいて画像の色補正処理を行い、表示手段に表示させる画像を生成する色補正部（補正手段）３１３を有する。
【００２２】
以下、本実施形態の電子ミラーシステムの構成について詳述する。なお、各機能ブロックにおける処理は、不図示の制御部が制御する。制御部は、画像処理手段３０が備えるＣＰＵ（Central Processing Unit）とすることができるほか、撮像手段２０が備えるＣＰＵが制御するようにしてもよい。
【００２３】
なお、本明細書において、色補正処理とは利用者毎に異なる色の見え方に応じて入力画像の色を変更することにより、表示手段１０に表示される画像の色の見え方を調整する処理をいう。また、色視認情報とは、基準色に対する利用者の色の見え方に関する情報であって、利用者Ｈが基準色より明るいと識別可能である第１の色に関する情報（具体的には後述する第１の色の画素値）と、利用者Ｈが基準色より暗いと識別可能である第２の色に関する情報（具体的には後述する第２の色の画素値）とからなる。また、色補正情報に相当する色補正関数とは色視認情報を基に決定された色補正処理を行うための関数で、色補正部（補正手段）３１３によって補正される前の表示用の画像の色と、この画像に対して利用者が認識する色との差を補正するための関数である。色補正関数は、入力画素値に対して出力画素値が１つに決まる計算式またはLUT（Look Up Table）で表すことができる。色視認情報の抽出、および色補正関数の決定については後に詳述する。
【００２４】
表示手段１０は、後述する画面表示制御部３４により生成された図３の利用者の見え方に関する情報を入力する情報入力画面３４aや、カメラ２０の撮像により取得され、画像処理手段３０により画像処理が行われた被写体の画像が表示される。表示手段１０は、例えば発光型や受光型の表示装置とすることができる。具体例としては、ＣＲＴ（Cathode Ray Tube）、ＬＣＤ（Liquid Crystal Display）、ＰＤＰ（Plasma Display Panel）、ＥＬ（Electro Luminescence）デバイスなどが挙げられる。
【００２５】
入力手段１０aは、利用者Ｈの色の見え方に関する色視認情報が入力される。入力手段１０aは、例えば、表示手段１０に表示されるタッチパネル入力方式を適用できる。つまり、図３に示すように、表示手段１０と入力手段１０aとを一体に設け、表示手段１０にタッチパネル機能を備える構成とすることができる。なお、当該入力方式に限定されるものではなく、例えばキーボードやリモコンを用いて入力するようにしてもよい。
【００２６】
カメラ２０は、被写体、例えば利用者Ｈを撮像することにより、表示手段１０に表示する利用者Ｈの画像を取得する。カメラとしては、例えば撮像素子であるＣＣＤ（Charge Coupled Diode）センサーを備え、該ＣＣＤセンサー上に結像した被写体象を光電変換するＣＣＤカメラとすることができる。
【００２７】
画像処理手段３０は、画像処理部３１と、色補正情報演算部３２と、入力情報取得部３３と、画面表示制御部３４と、登録部３５と、抽出部３６と、格納部４０とを有する。
【００２８】
画像処理部３１は、画像取込部３１１と、反転処理部３１２と、色補正部３１３とを有する。画像処理部３１は、画像取込部３１１において撮像手段２０により撮像された利用者Ｈの画像データを画像処理手段３１に取り込み、反転処理部において取り込まれた利用者Ｈの画像データを表示手段１０において物理的な鏡と同じように表示されるように、左右逆に反転処理する。
【００２９】
色補正部３１３は、後述する入力手段１０a（表示手段１０）を介して利用者Ｈから入力された利用者Ｈの色視認情報に基づいて生成され格納部４０に格納された色補正関数に基づいて、画像データを色補正する。当該色補正処理は、表示手段１０に表示される画像の色と利用者が実際に見ている色との誤差を補正するための色補正である。言い換えれば、利用者ごとの色の見え方の差（ズレ）をなくすための色補正である。
【００３０】
色補正情報演算部３２は、表示手段１０に表示される画像の色と利用者が実際に見ている色との誤差を補正するための、色補正関数（色補正情報）を生成する。該色補正関数は、利用者Ｈの赤色（Ｒ）、緑色（Ｇ）、青色（Ｂ）での見え方に基づいて生成される。すなわち、色補正関数は各利用者固有の関数である。なお、色補正関数の演算についての説明は、下記の情報入力画面３４aの説明と併せて述べる。該演算した色補正関数は、登録部３５に送出する。
【００３１】
入力情報取得部３３は、後述する情報入力画面３４aを通じて入力される利用者Ｈの視覚能力情報を取得し、色補正情報演算部３２に送出する。
【００３２】
画面表示制御部３４は、不図示の情報入力画面情報格納部に格納される情報入力画面情報から色視認情報が入力される設定画面（情報入力画面３４a、図３）を生成し、表示手段１０に表示させる。すなわち、第1実施形態の電子ミラーシステムに係る色補正情報演算部３２は、画面表示制御部３４により生成された情報入力画面３４aを通じて入力される色視認情報に基づいて色補正関数を演算し、決定する。なお、情報入力画面３４aについての操作方法については後述する。
【００３３】
格納部４０は、色補正情報演算部３２により演算された利用者ごとの色補正関数が格納される。格納するときの形態の１例として、色補正関数について作成された色補正関数テーブル（ＬＵＴ）が格納されるようにすることができる。このテーブルは、色補正部３１３に入力されるときの画素値（入力画素値）０〜２５５に対する表示手段１０から画像が出力されるときの画素値（出力画素値））を１対１のLUTとして登録する。補正パラメータのLUTの１部を図４に示す。なお、これに限定されるものではなく、計算式として格納部４０に格納されるようにしてもよい。また、例えば後述する情報入力画面３４aを通じて、もしくは情報入力画面とは独立した入力画面等を通じることにより色視認情報とともに利用者ＩＤが入力されるような構成とし、利用者ごとのＬＵＴが格納部４０に格納されるようにしてもよい。
【００３４】
登録部３５は、色補正情報演算部３２から入力された色補正関数を格納部４０に格納する。本実施形態の電子ミラーシステムにおいては色補正関数に基づき色補正関数テーブルを生成し、格納部４０に格納する。また、抽出部３６は、色補正部３１３からの抽出要求に基づき、格納部４０に格納されているＬＵＴから入力画素値に対応する出力画素値を抽出し、色補正部３１３に送出する。
【００３５】
次に、情報入力画面３４aにおける操作を通じた基準色に対する利用者の色の見え方に関する色視認情報の抽出と、抽出された色視認情報に基づく色補正関数の決定について詳述する。
【００３６】
図３に示すように、情報入力画面３４aは、赤色（Ｒ）、緑色（Ｇ）、青色（Ｂ）ごとの入力リスト３４aR、３４aG、３４aBを有し、それぞれが５段階の入力項目（赤色の場合、上から順に２０１、２０２、２０３、２０４、２０５である。）を有する。なお、緑色、青色についても赤色と同様の入力項目を有する。
【００３７】
各入力項目の中央にはＲＧＢ各色の基準色が表示される。ここで、図３においては、赤色（Ｒ）の基準色の画素値については、上から順にＲ＝255,192,128,64,0、B=G=0の５段階で表示される。 同様に、緑色（Ｇ）の基準色の画素値についても上から順にＧ＝255,192,128,64,0、B=Ｒ=0であり、青色（Ｂ）の基準色の画素値についても上からＢ＝255,192,128,64,0、B=Ｒ=0の５段階で表示される。すなわち、画素値が大きくなるほど色は明るくなり、画素値が小さくなるほど色は暗くなる。また、基準色の左右には、基準色とは異なる色であると認識できる色を明らかにするための色パネルが表示される。ここで、左の色パネルの色は基準色よりも明るく（画素値が大きく）、右の色パネルの色は基準色よりも暗い（画素値が小さい）。すなわち、左の色パネルの色が基準色より明るい第１の色に、右の色パネルの色が基準色より暗い第２の色に相当する。設定開始のときにおいては、左の色パネルは基準色よりも画素値が１高い色、右の色パネルは基準色よりも画素値が１低い色がそれぞれ表示される。なお、情報入力画面３４aを示す図３においては色パネルと基準色との境界の理解を容易にするために、当該境界を点線にて表している。
【００３８】
２1１aおよび２１１bは、色パネルの色（言い換えれば、色パネルの色に対応する画素値）を変更させるための色パネル変更ボタンである。また、２２１は利用者の色の見え方に関する色視認情報を入力するための決定ボタンであり、２２２は当該情報の入力を中止するための中止ボタンである。
【００３９】
利用者Ｈは、ＲＧＢそれぞれの入力項目ごとに配置された色パネル変更ボタン２１１a、および２１１ｂを押下して、色パネルの色（画素値）を変更する。そして、左右に配置した色パネルの色と中央の基準色とが異なる色であると識別可能になるまで当該操作を続行する。利用者HがＲＧＢ各色の全入力項目において同様の操作を行い、左右の色パネルの色と基準色とが異なる色であると識別可能となったとき、利用者Ｈは決定ボタン２２１を押下する。
【００４０】
ここで、識別可能となったときの第１の色および第２の色は利用者Ｈの明側と暗側の区別可能な色の境界を意味する。すなわち、当該色パネルの色と基準色の間の画素値を有する色については利用者は異なる色とは認識できず、利用者Ｈが識別可能と判断したときの色パネルの色が、利用者Ｈが視覚によって基準色とは異なる色（基準色より明るい第１の色、基準色より暗い第２の色）と識別できる色に該当する。したがって、上記操作により、ＲＧＢ各色での利用者Ｈにより基準色より明るいと識別可能である第１の色の画素値と、基準色より暗いと識別可能である第２の色の画素値とからなる色視認情報が情報入力画面３４aを通じて入力される。言い換えれば、利用者Ｈの情報入力画面３４aを通じた入力によって、利用者Ｈの色視認情報が抽出される。
【００４１】
色補正情報演算部３２は、入力されたRGB各色の利用者Ｈの色視認情報を基に、例えばある画素値で表示させた色を利用者Ｈがより明るい色（基準画素値より大きい画素値）であると識別するときに、より暗い色（基準画素値より小さい画素値）で表示手段１０から出力されるように色補正するための、色補正関数を決定する。具体的には、図５（ｃ）のグラフCxmに示すような、表示手段１０に表示される画像の色と利用者Hが実際に見ている色との差を補正するための色補正関数を決定する。
【００４２】
図５（ｃ）において、Cxsは情報入力画面３４aの入力項目に示した基準色の画素値をｘ値として、また、決定ボタン２２１の押下により入力が行われたときの基準色に対応する左右の色パネルの画素値の平均値をy値としてプロットしたグラフである。
【００４３】
Cxは基準色グラフであって、ｙ＝ｘ（原点を通る傾き１の直線）の関係、すなわち基準色の画素値と左右の色パネルの画素値の平均値が等しい関係にあるときを示すグラフである。なお、グラフの横軸の入力画素値と縦軸の出力画素値はグラフcxおよび後述するグラフCxmを基準としてｘ値とｙ値の関係を説明するものであり、入力画素値は色補正部３１３へ画像が入力されるときの画素値を示し、出力画素値は表示手段１０から画像が出力されるときの画素値を示している。
【００４４】
Cxmは基準色グラフCxに対してグラフCxsと線対称となるグラフである。該グラフCxmが後述するように利用者Hの色補正関数を示すグラフとなる。なお、これらのグラフCxm、Cx、Cxsは図３の情報入力画面３４aにおいて入力された赤色（R）、緑色（G）、青色（B）ごとに作成される。
【００４５】
色補正関数を演算する過程を説明する。図５（a）に示すように、色補正情報演算部３２はまず、情報入力画面３４aにおいて入力された色視認情報、具体的には基準色より明るい色であるとして利用者Ｈが判別した色の画素値（該画素値を以下Cxlとする）および基準色より暗い色であるとして利用者Ｈが判別した色の画素値（該画素値を以下Cxdとする）を基準色の画素値と対応付けてグラフ上にプロットする。続いて図５（ｂ）に示すように、色補正情報演算部３２はCxlとCxdとからその平均値Cxsを算出し、該算出値を基準色の画素値と対応付けてプロットして、グラフCxsを生成する。
【００４６】
ここで、グラフCxsのｙ値と基準色グラフCxのｙ値との差は利用者Hの色の見え方の差（ズレ）を表している。すなわち、この差が補正される前の表示用の画像の色と、この画像に対して利用者Ｈが認識する色との差となる。従って、色補正情報演算部３２は、該利用者Hの色の見え方の差を吸収するような値をとるグラフを演算し、該グラフに対応する関数を色補正関数として生成する。言い換えれば、色補正情報演算部３２は、図５（c）に示すグラフCxsと基準色グラフCxに対して線対称となるグラフCxmを演算し、該グラフCxmに対応する関数を色補正関数として決定する。
【００４７】
生成された色補正関数は格納部４０に格納され、色補正部３１３における色補正処理に用いられる。具体的には、色補正部３１３は図４に示すようなＬＵＴとして格納部に格納された色補正関数の入力画素値に対応する出力画素値を用いて、表示手段１０に表示される画像の色と利用者Hが実際に見ている色との差を補正するように画像を色補正する。
【００４８】
第１実施形態においてはRGB各色ごとに基準色を５つ設定し、当該５つの基準色の画素値から利用者Hの色補正関数を算出するためのグラフCxm、Cx、Cxsを演算している。しかしながら、基準色の数は任意に設定可能である。また、第１実施形態においては、情報入力画面３４aは電子ミラー動作と独立して動作するがこれに限定されるものではなく、例えば情報入力画面と撮像画像とを並列して表示手段１０に表示させるようにしてもよい。この場合、撮像画像は使用者Ｈの色補正関数が確定する前のプレビュー画像としてもよい。加えて、情報入力画面３４aで色視認情報とともに利用者ＩＤが入力され、格納部４０において利用者ごとに色補正関数（ＬＵＴ）が可能されるような構成としてもよい。さらに、情報入力画面３４aの画面構成は本発明を限定するものではない。
【００４９】
続いて、本実施形態の電子ミラーシステムの処理フローについて説明する。
【００５０】
まず、利用者の色の見え方に関する色視認情報の抽出、および色補正関数の決定について説明する。
【００５１】
図６に示すように、ステップＳ６０１において、第１実施形態の電子ミラーシステムの画面表示制御部３４は、画面表示制御部３４に入力手段１０aを介して利用者Ｈの色視認情報の入力要求が入力されたか否かを判断する。該情報入力要求の入力がない場合、本実施形態の電子ミラーシステムは、撮像手段２０により撮像された画像を画像処理手段３０において画像処理し、表示手段１０に表示する。このとき、色補正部３１３は、格納部４０に格納されている利用者Ｈの色の見え方に関する色視認情報に応じた色補正関数に基づき、被写体の画像データの色補正処理を行う。当該色補正処理の処理フローについては後述する。
【００５２】
一方、ステップＳ６０１にて利用者Ｈの色視認情報の入力要求があった場合、画面表示制御部３４は、情報入力画面情報（不図示）から情報入力画面情報を抽出して図３に示す情報入力画面３４aを生成し（ステップＳ６０２）、表示手段１０に表示させる（ステップＳ６０3）。
【００５３】
利用者Ｈは、表示手段１０（第１実施形態では入力手段１０aと一体である）に表示された情報入力画面３４aを操作して赤色（Ｒ）、緑色（Ｇ）、青色（Ｂ）の各色での基準色について、色の見え方に関する色視認情報を入力する。このとき、利用者Ｈは表示されている色の値などの数値的なことは全く意識せず、利用者Ｈの見た目により情報を入力する。
【００５４】
例えば、情報入力画面３４aが表示されたときに、赤色（Ｒ）の上から２段目の入力項目２０２（基準色Ｒ＝１９２、Ｇ＝Ｂ＝０）における左側の色パネルの色と基準色との間の差異を利用者Ｈが判別できない場合を想定する。このとき、利用者Ｈは色パネル変更ボタン２１１a、あるいは２１１ｂを押下することにより、入力項目２０２の左側の色パネルの色を、中央の基準色と判別可能となるまで変更する。
【００５５】
同様に、各色の全入力項目において色パネルの色と基準色との間の差異が判別可能になったとき、利用者Ｈは決定ボタン２２１を押下する。これにより、利用者Ｈの色視認情報が入力される。入力された色視認情報は、入力情報取得部３３により取得され、色補正情報演算部３２に送出される。
【００５６】
続いて、ステップＳ６０４にて、色補正情報演算部３２は入力された利用者Ｈの色視認情報に基づき、利用者Ｈの色補正関数の演算を行う。色補正関数は利用者Hの色視認情報に応じた非線形のグラフ（グラフCxs）に基づいて算出される。
【００５７】
色補正情報演算部３２がグラフCxsを演算するにあたり、例えば、赤色（Ｒ）の上から２段目の入力項目２０２（基準画素値R＝１９２）における左側、および右側の色パネルの色と基準色との間の差異を利用者Ｈが判別可能となったときの左側の色パネルの色（画素値）がR＝２００であり、右側の色パネルの色（画素値）がR=１８０である場合を想定する。このとき、色補正情報演算部３２は、入力項目２０２における利用者Hの左右の色パネル画素値の平均値を計算し（この場合の平均値は１９０となる）、当該平均値を基準画素値と対応させてプロットする。
【００５８】
同様に他の入力項目においても左右の色パネルの画素値の平均値を算出し、それぞれを基準画素値と対応させてプロットすることにより、図５に示すような利用者Hの色視認情報に応じた曲線グラフCxsを演算する。
【００５９】
続いて、色補正情報演算部３２は曲線グラフCxsと基準色グラフCx（ｙ＝ｘ）に対して線対称となる曲線グラフCxm（色補正関数）を演算する。
【００６０】
演算された色補正関数は色補正情報演算部３２から登録部３５へ送出され、該登録部３５により格納部４０に格納される。このとき、登録部３５は、色補正関数テーブル（ＬＵＴ）を作成して登録する（ステップＳ６０５）。本実施形態において図４に例示したＬＵＴでは、赤色の入力画素値がＲ＝１９２であるときは出力画素値がＲ＝１９４と、１：１で対応している。
【００６１】
次に、第１実施形態の電子ミラーシステムの、基準色データに対する色補正関数に基づく色補正処理に係る処理フローについて詳述する。
【００６２】
まず、ステップＳ７０１において、画像処理部３０の画像取込部３１１がカメラ２０にて撮像された画像データを画像処理部３1に取り込む。次に、ステップＳ７０２にて、反転処理部３１２が入力された画像データに対して表示手段１０において物理的な鏡と同様に表示されるように、左右逆とする反転処理を行う。
【００６３】
続いて、ステップＳ７０３にて、色補正部３１３が、画像データに対して格納部４０に格納されている補正パラメータに基づき色補正処理を行う。
【００６４】
色補正処理を行うとき、色補正部３１３は抽出部３６に出力画素値抽出要求を送出する。抽出部３６は当該出力画素値抽出要求に基づき格納部４０に格納された色補正関数テーブルから入力画素値に対応する出力画素値を抽出して色補正部３１３に送出する。なお、色補正関数テーブルが格納部４０に格納されていない場合は、色補正部３１３は画像データについての色補正処理は行わない。すなわち、撮像された画像が色補正されることなく、表示手段１０に出力される。
【００６５】
例えば、色補正部３１３に入力された画像にR=１９２、G=B=０の画素値で表現される部分がある場合を想定する。抽出部３６により抽出された入力画素値R＝192に対応する出力画素値がR＝１９４であるとき、色補正部３１３は当該画像部分の画素値がR=１９４、G=B=０となるように色補正処理を行って表示手段１０に出力する。
【００６６】
色補正部３１３により色補正された画像データは表示手段１０に出力され、色補正された画像が表示される（ステップＳ７０４）。
【００６７】
以上のように、第１実施形態の電子ミラーシステムによれば、基準色に対する利用者の色の見え方に関する色視認情報に応じた色補正関数に基づき画像データの色補正処理を行うので、表示手段に表示される画像の色と利用者が実際に見ている色との誤差が補正される。なお、利用者ＩＤに基づき利用者ごとの色補正関数を格納部から抽出する構成をさらに備え、利用者ごとの色補正関数に応じた色補正が行われるようにしてもよい。
【００６８】
従って、化粧や身だしなみを整えるときに第１実施形態の電子ミラーシステムを利用すれば、例えば利用者が視覚能力が低下した高齢者であっても、表示手段に表示される画像の色と利用者が実際に見ている色との誤差が補正される。このため、化粧等の結果が、若年者等の見た目とは大きく異なる色合いとなるのを極力抑えることができる。言い換えれば、視覚能力が低下した高齢者であっても、化粧が濃くなりすぎたりする可能性を低くすることができる。
【００６９】
なお、本発明の画像生成装置の適用は電子ミラーに限定されるものではなく、例えば、テレビ、デジタルカメラ、パーソナルコンピュータ、携帯電話、プリンタ、電子辞書などの画像を出力する表示手段を有するものに適用させることが可能である。
【００７０】
（第２実施形態）
続いて、第２実施形態について説明する。第１実施形態と同様の構成については同符号を付して説明を省略する。
【００７１】
第２実施形態の電子ミラーシステムの構成を図８に示す。
【００７２】
第２実施形態の電子ミラーシステムは、利用者Ｈが視覚的に見やすくなるための画像処理を指定する拡大処理選択部５２、空間周波数強調処理選択部５３を有する。また、拡大処理および色補正処理を行う領域を指定するための領域中心選択部５１を有する。また、画像表示処理手段３１は、第１実施形態にて示した構成に加えて、指定された領域を抽出する領域抽出部３１４と、指定された倍率で表示されるように拡大処理を行う拡大処理部３１５と、指定に基づき空間周波数強調処理を行う空間周波数処理部３１６とを有する。
【００７３】
すなわち、本第２実施形態では、色補正関数を用いての色補正処理に加えて、利用者Ｈが視覚的に見やすくなるための画像処理を行うことが可能である。具体的には、細部を詳細に確認したい場合における拡大表示処理、および輪郭がはっきりと認識できない場合における空間周波数強調処理を行うことができる。加えて、色補正処理を含むこれらの画像処理は、利用者Ｈの所望する領域に対して行うようにすることが可能である。言い換えれば色補正処理、拡大処理、および空間周波数強調処理は画像の一部の領域に対して色補正を行うことが可能である。
【００７４】
以下、各構成について説明するが、カメラ２０、表示手段１０、入力手段１０aについては第１実施形態と共通するため説明を省略する。その他同様の構成についても同符号を付して説明を省略する。
【００７５】
領域中心選択部５１は、入力手段１０aを介して画像処理手段３１にて画像処理を行う領域の中心に関する指定が入力される。領域選択部５１は該指定に基づき領域中心情報を生成し、領域抽出部３１４に送出する。
【００７６】
拡大処理選択部５２は、入力手段１０aを介して表示手段１０に表示される画像の拡大表示に関する指定が入力される。拡大処理選択部５２は入力された指定と該指定に対応付けられて予め設定された形状および大きさから、拡大する領域の形状と該領域の画像全体に対する相対的な大きさを示す領域大きさ情報を生成する。設定値については、例えば、入力される画像の大きさが
横幅６４０ピクセル、高さ４８０ピクセルであるとき、大は領域半径１２０ピクセル、中は領域半径８０ピクセル、小は領域半径４０ピクセルとすることができる。また、入力された指定と該指定に対応付けられて予め設定された拡大倍率から拡大する領域の拡大倍率を示す拡大倍率情報を生成する。生成された領域大きさ情報および拡大倍率情報は、登録部３５に送出される。
【００７７】
空間周波数強調処理選択部５３は、入力手段１０aを介して表示される画像の空間周波数強調処理に関する指定が入力される。空間周波数処理選択部５３は入力された指定と、該指定に対応付けられて予め設定された強度の値に基づき空間周波数強調処理情報を生成し、登録部３５に送出する。設定される強度の値については、例えば強は２２４、中は１２８、小は３２とすることができる。
【００７８】
画面表示制御部３４は、情報入力画面３４aを生成して表示手段１０に表示させるのに加えて、入力手段１０a、入力情報取得部３３を介した利用者からの指示入力要求に基づき、不図示の指定画面情報格納部に格納される指定画面情報から画像の拡大表示を指定するための拡大表示指定画面３４b、および画像の空間周波数強調処理を指定するための空間周波数強調処理指定画面３４cを生成して表示手段１０に表示させる。
【００７９】
登録部３５は、図１１に示すようにして、利用者ごとに色補正情報演算部３２から入力された色補正関数とともに、領域情報、表示倍率情報、および空間周波数処理情報を格納部４０に格納する。
【００８０】
また、抽出部３６は色補正部３１３、領域抽出部３１４、拡大処理部３１５、空間周波数強調処理部３１６からの抽出要求に従って、色補正関数、領域大きさ情報、拡大倍率情報、空間周波数処理情報を格納部４０から抽出し、それぞれに送出する。
【００８１】
次に、第２実施形態の電子ミラーシステムに係る画像処理手段３１について説明する。
【００８２】
画像処理手段３１は、上述したように、第１実施形態にて示した構成、具体的には画像取込部３１１と、反転処理部３１２と、色補正部３１３とに加えて、領域抽出部３１４と、拡大縮小処理部３１５と、空間周波数処理部３１６とを有する。
【００８３】
領域抽出部３１１は、領域中心選択部５１から領域中心情報が入力されたとき、抽出部３６に格納部４０からの領域大きさ情報抽出要求を送出する。抽出部３６から領域大きさ情報が入力されたとき、領域抽出部３１４は、領域中心情報および領域大きさ情報に基づいて画像データのうち色補正処理、拡大処理（後述する関連付けがなされている場合は空間周波数強調処理も含む）を行うデータ部分を抽出する。
【００８４】
拡大処理部３１５は、画像データが入力されたとき、抽出部３６に格納部４０からの拡大倍率情報抽出要求を送出する。抽出部３６から拡大倍率情報が入力されたとき、拡大処理部３１５は画像データのうち領域抽出部３１４にて抽出されたデータについて、当該拡大倍率情報に基づいての拡大処理を行う。拡大処理においては例えばバイリニア・バイキュービック等の公知の画像処理手法を用いて行うようにすることができるがこれに限定されるものではない。
【００８５】
空間周波数処理部３１６は、画像データが入力されたとき、抽出部３６に格納部４０からの空間周波数処理情報抽出要求を送出する。抽出部３６から空間周波数処理情報が入力されたとき、空間周波数処理部３１６は、画像データのうち領域抽出部３１４にて抽出されたデータについて空間周波数強調処理を行う。空間周波数強調処理においては例えばラプラシアン処理等の公知の画像処理手法を用いて行うようにすることができるがこれに限定されるものではない。また、格納部４０に格納された空間周波数処理強調情報について後述する領域大きさ情報との関連付けがなされていなければ、画像全体について空間周波数強調処理を行う。
【００８６】
続いて、画面表示制御部３４により生成される拡大表示指定画面３４ｂ、および空間周波数強調処理指定画面３４cの操作および領域大きさ情報、拡大倍率情報、および空間周波数強調処理情報の生成について説明する。
【００８７】
図9に示すように、拡大表示指定画面３４bは拡大する領域の大きさを指定するための大きさ指定リスト９１と、当該範囲内における拡大倍率指定リスト９２とを有する。大きさ指定リスト９１は、拡大表示する際の領域の外枠形状を指定する形状指定ボタン９１１、９１２と、拡大する領域の大きさを指定する大きさ指定ボタン大９１２、中９１３、および小９１４とを有する。大きさ指定ボタンは、例えば大９１２（領域半径１２０ピクセル）、中９１３（領域半径８０ピクセル）、小９１４（領域半径４０ピクセル）というように、拡大表示する領域の画像全体に対する相対的な大きさについて予め対応付けがされている。一方、拡大倍率指定リストは、所定の倍率に予め対応付けられた拡大倍率指定ボタン９２１、９２２、９２３、および９２４を有する。また、９３は利用者の拡大表示指定を入力するための決定ボタンである。また、９４は当該指定の入力を中止するための中止ボタンである。
【００８８】
利用者Ｈは大きさ指定リスト９１の形状指定ボタン９１１、９１２、範囲指定ボタン９１３、９１４、９１５、および拡大倍率指定リスト９２の拡大倍率指定ボタン９２１、９２２、９２３、９２４について所望する条件に合うボタンを押下した後、決定ボタンを押下して拡大処理指定を行う。これにより、利用者Ｈの拡大表示指定が拡大処理指定画面３４bを通じて入力される。
【００８９】
また、図１０に示すように、空間周波数強調処理指定画面３４cは強調する画像中の領域を指定するための範囲指定ボタン１０１１、１０１２を有する強調範囲指定リスト１０１と、空間周波数の強度について対応付けられた強度指定ボタン１０２１、１０２２、１０２３、１０２４を有する強度指定リスト１０２を有する。また、１０３は利用者の空間周波数強調処理指定を入力するための決定ボタンであり、１０４は当該指定の入力を中止するための中止ボタンである。
【００９０】
利用者Ｈは強調範囲指定リスト１０１の範囲指定ボタン１０１１、１０１２および強度指定リスト１０２の強度指定ボタン１０２１、１０２２、１０２３、１０２４について所望する条件に合うボタンを押下した後、決定ボタン１０３を押下して空間周波数強調処理指定を行う。これにより、利用者Ｈの空間周波数強調処理指定が空間周波数強調処理指定画面３４cを通じて入力される。
【００９１】
拡大処理指定画面３４ｂ、空間周波数強調処理指定画面３４ｃを通じて入力された指定は、拡大処理選択部５２、空間周波数選択部５３にそれぞれ送出される。次いで、拡大処理選択部５２においては大きさ情報および拡大倍率情報が、空間周波数強調処理選択部５３においては空間周波数強調処理情報が生成される。なお、空間周波数強調処理指定において領域大きさ情報と空間周波数強調処理とが関連付けられている場合（すなわち拡大領域について空間周波数強調処理を行うように指定された場合）には、当該関連付けを示す情報が空間周波数強調処理情報に付加される。生成されたこれらの情報は登録部３５に送出され、格納部４０に図１１に示すようにして格納される。図１１は、拡大領域の形状を円形と、領域の大きさを中と、拡大倍率を１．４とし、併せて空間周波数強調処理を拡大領域に関連付けて、強度指定を中としたときを例示する。
【００９２】
次いで、本第２実施形態の色補正処理について説明する。本第２実施形態では拡大処理指定入力画面３４ｂを介して拡大処理選択部５２により生成された領域大きさ情報と、領域中心選択部５１により生成される領域中心選択情報とに基づいて画像中の領域を抽出し、当該領域について拡大倍率情報に基づく拡大処理を行うこととしている。
【００９３】
これに加えて、本第２実施形態では拡大処理が行われる領域についてのみ、色補正部３１３による色補正関数を用いた色補正処理が行われる。言い換えれば、色補正部３１３は画像データが入力されたとき、当該画像データのうち領域抽出部３１４にて抽出されたデータ部分について、色補正関数に基づいての色補正処理を行う。指定された領域にのみ色補正処理が行われることにより、表示手段１０には色補正処理が行われた領域と該処理が行われていない領域とが合わせて存在するようにすることができるので、利用者Ｈは色補正処理前と色補正処理後の状態を対比しながら化粧等の作業を行うことが可能となる。本第２実施形態の説明においては色補正処理を一部について行うか否かの指定は、拡大処理指定が行われたか否かと対応付けて指定することとして例示する。すなわち、この場合は拡大処理を行う領域に対してのみ色補正部３１３が色補正を行う。しかしながらこれに限定されるものではなく、例えば画像処理手段３０が色補正する領域を指定するための機能ブロックを別途有するようにしてもよい。なお、色補正処理については第１実施形態と同様であるため、説明を省略する。
【００９４】
続いて、本第２実施形態の電子ミラーシステムの処理フローについて説明する。
【００９５】
図１２に示すように、ステップＳ１２０１において、第２実施形態の電子ミラーは、入力手段１０aを介しての指示入力があるか否かを判断する。指示入力がない場合、画像処理手段３０が格納部４０に格納された色補正関数等を用いて、撮像手段２０により撮像されたデータを画像処理し、表示手段１０に表示する（ステップＳ１２０２）。
【００９６】
一方、Ｓ１２０１にて指示入力があった場合、画像処理手段３０はステップＳ１２１１にて、その指示内容が色視認情報入力要求であるか否かを判断する。
【００９７】
指示内容が色視認情報入力要求である場合、ステップＳ１２１２にて、第１実施形態と同様に色補正情報演算部３２が色視認情報の入力に基づいた色補正関数の演算を行う。次いで該色補正関数は登録部３５により格納部４０に格納される（ステップＳ１２１３）。色視認情報入力、および色補正関数演算については第1実施形態と同様であるため説明を省略する。
【００９８】
これに対し、指示内容が色視認情報入力でないとき、画像処理手段３０はステップＳ１２２１にて入力要求が拡大処理指定または空間周波数強調処理指定のどちらであるかを判断する。
【００９９】
拡大処理指定である場合、まずステップＳ１２２２において拡大処理指定画面３４bを通じて利用者Ｈから入力された指定に基づき、拡大処理選択部５２が該指定と予め設定された領域の形状および画像全体に対する相対的な大きさ、ならびに拡大倍率から領域大きさ情報および拡大倍率情報を生成し、登録部３５に送出する。登録部３５は入力された領域大きさ情報および拡大倍率情報を格納部４０に図１１に示すように格納する（ステップＳ１２１３）。
【０１００】
一方、空間周波数強調処理指定である場合、まず、ステップＳ１２３１において、空間周波数強調処理指定画面３４ｃを通じて利用者Ｈから入力された指定に基づき、空間周波数強調処理選択部５２が該指定と予め設定された強度の値から空間周波数強調処理情報を生成し、登録部３５に送出する。登録部３５は入力された空間周波数強調処理情報を格納部４０に図１１に示すように格納する（ステップＳ１２１３）。
【０１０１】
次に、第２実施形態の電子ミラーシステムにおける画像処理の処理フローについて説明する。
【０１０２】
まず、図１０に示すように、ステップＳ１３０１において画像処理部３１の画像取込部３1１は利用者Ｈのカメラ２０にて撮像された画像データを画像処理部３１に取り込む。
【０１０３】
次に、ステップＳ１３０２にて、反転処理部３１２が表示手段１０において利用者Ｈの画像を物理的な鏡と同じように表示するための画像の左右を逆にする反転処理を行う。
【０１０４】
続いて、ステップＳ１３０３にて、領域抽出部３１４は領域中心選択部５１を通じて領域の中心を示す領域情報が入力されたか否かを判断する。領域中心情報の入力がない場合、領域抽出部３１４は領域の抽出処理を行なわずに画像を色補正部に送出する。一方、領域中心情報の入力があった場合、入力された画像について領域抽出を行う（ステップＳ１３０４）。具体的にはまず、領域抽出部３１４は抽出部３６に領域大きさ情報抽出要求を送出する。抽出部３６は当該領域大きさ情報抽出要求に基づき、格納部４０から領域大きさ情報を抽出して領域抽出部３１４に送出する。領域抽出部３１４は、入力された領域大きさ情報および領域中心情報に基づき、画像データのうち、色補正処理および拡大処理を行う領域に係るデータ部分を抽出する。なお、領域中心情報の入力があっても領域大きさ情報が格納部４０に予め入力されていない場合、色補正処理および拡大処理は画像データすべてに対して行う。
【０１０５】
さらに、ステップＳ１３０５において、色補正部３１３は画像データ、若しくは画像データのうち領域として指定された部分に係るデータに対し、格納部４０に格納されている色補正関数に基づいての色補正処理を行う。色補正処理の方法は第1実施形態と同様であるため、説明を省略する。
【０１０６】
さらにまた、ステップＳ１３０６において、拡大処理部３１５は抽出部３６に拡大倍率情報抽出要求を送出する。抽出部３６は、当該拡大倍率情報抽出要求に基づき、格納部４０から拡大倍率情報を抽出して拡大処理部３１５に送出する。拡大処理部３１５は、入力された拡大倍率情報に基づき、画像データのうち、領域抽出部３１４にて抽出されたデータ部分について、拡大処理を行う。なお、拡大倍率情報が格納部４０に予め入力されていない場合は、画像データについての拡大処理は行わない。
【０１０７】
さらにまた、ステップＳ１３０７において、空間周波数処理部３１６は抽出部３６に空間周波数強調処理情報抽出要求を送出する。抽出部３６は、当該空間周波数強調処理情報抽出要求に基づき、格納部４０から空間周波数強調処理情報を抽出して空間周波数強調処理部３１６に送出する。空間周波数強調処理部３１６は、入力された空間周波数強調処理情報に基づき、像データ全体について、もしくは空間周波数強調処理情報と領域大きさ情報との関連付けがなされていた場合は領域抽出部３１４にて抽出されたデータ部分について空間周波数強調処理を行う。なお、空間周波数処理情報が格納部４０に予め入力されていない場合は画像データについての当該処理は行わない。
【０１０８】
以上の処理フローにより画像処理された画像データは、表示手段１０へ出力される（ステップＳ１３０８）。
【０１０９】
ここで、本第２実施形態をより具体的に説明するために、図１４に示したような拡大処理を指定する場合を例示する。利用者Ｈは拡大したい領域の中心を入力手段１０aを介して指定する。当該指定に基づき領域選択部５１が領域中心情報を生成して領域抽出部３１４に送出する。領域抽出部３１４は当該領域中心情報が入力されると、領域大きさ情報抽出要求を抽出部３６に送出する。次いで該要求に基づき抽出、入力された領域大きさ情報（例えば画像全体に対して１／８の大きさ）にと領域中心情報から画像データのうち指定された領域１４０１を抽出する。そして、当該領域１４０１について色補正部３１３による色補正処理および拡大処理部３１５による拡大処理が行われ、表示手段１０に表示される。なお、同様の処理を画像中の他の部分１４０２に対しても行うことにより、複数箇所において拡大、色補正処理を行って表示させることが可能である。
【０１１０】
本第２実施形態の電子ミラーシステムにおいては、拡大処理は利用者Ｈが領域中心を指定すると設定済みの拡大倍率(例えば1.2倍等)で拡大されるが、同一の領域に対し利用者が複数回指定することで、段階的に設定された拡大倍率で画像が拡大表示されるように構成するようにしてもよい。この場合、複数回指定することで拡大された領域内での画像がさらに拡大される。また、このとき最初に拡大表示された領域内を複数回指定することで段階的に拡大処理が行われるが、例えば指定を複数段階と設定し、最初に拡大表示された領域内で予め設定された回数を超えて拡大を指定したときは拡大倍率を１倍、すなわち拡大を解除するようにしてもよい。また、併せて画像のうちの一部の領域に対する色補正するという設定を解除し、画像全体に対して色補正を行うようにしてもよい。
【０１１１】
さらに、本第２実施形態においては領域の中心と、画像全体に対する領域の占める相対的な大きさを指定することにより拡大、色補正処理を行っている。しかしながら、これに限定されるものではなく、例えば領域を指定する場合は中心と半径を画素数で直接入力することにより領域を指定するようにしてもよい。さらにまた、第１実施形態と同様に、第２実施形態に係る画像処理手段もまた、利用者ＩＤに基づいて利用者ごとに色補正情報（色補正関数）、領域大きさ情報、拡大倍率情報、空間周波数強調処理情報を格納し、且つ該利用者ＩＤをもとに該情報を抽出してそれぞれの利用者に応じた色補正等の画像処理を行うような構成としてもよい。
【０１１２】
以上のように、第２実施形態の電子ミラーシステムによれば、利用者Ｈの色視認情報に応じた色補正関数を用いての色補正処理に加えて、利用者Ｈが視覚的に見やすくなるための画像処理が可能である。このため、化粧や身だしなみを整えるときに第２実施形態の電子ミラーシステムを利用すれば、化粧が濃くなりすぎたりするような場合を極力少なくすることができるとともに、細部の確認などがより容易となる。すなわち、利用者は細部の確認を行いながら化粧等を施すことができるので、眉毛の書き損じなどの失敗を少なくすることができる。
【０１１３】
また、第２実施形態の電子ミラーシステムによれば、色補正を画像の一部の領域に対して行うことが可能である。これにより、利用者Ｈは色補正がされた領域と色補正がされていない領域とを対比しながら化粧等を行うことができるので、自らの色の見え方と他の人の色の見え方が異なっていることを認識できる。言い換えれば、通常の鏡を用いたときに、本実施形態の電子ミラーを用いた場合と同じか類似する程度の色合いの化粧等を行うことができるようになることが可能である。
【０１１４】
本発明は、上記に記載された実施の形態に限定されず、表示手段・カメラ・入力手段等の位置や種類を様々に変更することが可能である。例えば、身だしなみを整えたりする際にカメラ２０を利用者Ｈの後方に持っていくことで、自身の後ろ姿を視覚能力が補正された画像として確認することも可能となる。
【図面の簡単な説明】
【０１１５】
【図１】第１実施形態の電子ミラーシステム（画像表示システム）の概略構成図である。
【図２】第１実施形態の電子ミラーシステムのブロック図である。
【図３】第１実施形態の電子ミラーシステムに係る情報入力画面の例示図である。
【図４】第１実施形態の電子ミラーシステムに係る色補正関数テーブルの例示図である。
【図５】第１実施形態の電子ミラーシステムに係る色補正関数の演算を例示するグラフである。
【図６】第１実施形態の電子ミラーシステムにおける、色補正関数の演算を説明するためのフローチャートである。
【図７】第１実施形態の電子ミラーシステムにおける、画像処理を説明するためのフローチャートである。
【図８】第２実施形態の電子ミラーシステムのブロック図である。
【図９】第２実施形態の電子ミラーシステムに係る拡大処理指示入力画面の例示図である。
【図１０】第２実施形態の電子ミラーシステムに係る空間周波数強調処理指示入力画面の例示図である。
【図１１】第１実施形態の電子ミラーシステムに係る色補正関数テーブルの例示図である。
【図１２】第２実施形態の電子ミラーシステムの全体動作を示すフローチャートである。
【図１３】第２実施形態の電子ミラーシステムにおける、画像処理を説明するためのフローチャートである。
【図１４】第２実施形態の電子ミラーシステムにおける、画像処理された画像の例示図である。
【符号の説明】
【０１１６】
１０    表示手段
１０a  入力手段
２０    撮像手段
３０    画像処理手段
３１    画像処理部
３２    色補正情報演算部
３４    画面表示制御部
４０    格納部
【図１】
2009177735.tif 000003
【図２】
2009177735.tif 000004
【図４】
2009177735.tif 000005
【図５】
2009177735.tif 000006
【図６】
2009177735.tif 000007
【図７】
2009177735.tif 000008
【図８】
2009177735.tif 000009
【図９】
2009177735.tif 000010
【図１０】
2009177735.tif 000011
【図１１】
2009177735.tif 000012
【図１２】
2009177735.tif 000013
【図１３】
2009177735.tif 000014
【図１４】
2009177735.tif 000015
【図３】
2009177735.tif 000016